(57)【特許請求の範囲】
【請求項１】
基板を水平に保持し、基板とともに回転可能な基板保持部と、
前記基板保持部を回転させる回転機構と、
薬液を貯留する薬液タンクを有し、この薬液タンクから基板に薬液を供給する薬液供給機構と、
基板にリンス液を供給するリンス液供給機構と、
前記基板保持部に保持された基板の外側を囲繞するように設けられ、回転する基板から飛散する薬液またはリンス液を受ける環状の排液カップと、
前記排液カップに接続され、前記排液カップで受けた液を廃棄する廃棄ラインと、
前記排液カップに接続され、前記排液カップで受けた液を前記薬液タンクに回収する回収ラインと、
前記回収ラインによる液の回収および前記廃棄ラインによる液の廃棄を切り替える切替手段と、
前記薬液供給機構による前記薬液の供給、前記リンス液供給機構による前記リンス液の供給、前記回転機構による基板の回転、前記切替手段による液の廃棄および回収の切り替えを制御する制御部と
を具備し、
前記制御部は、前記リンス液によるリンス処理を基板に対して行った後に前記薬液による薬液処理を基板に対して行う際に、
最初に、前記廃棄ラインが有効かつ前記回収ラインが無効の状態として、リンス処理用の回転数以上の回転数で基板を回転させながら基板上に前記薬液を供給して前記排液カップを薬液により洗浄し、その際に前記排液カップで受けた液を前記廃棄ラインによって廃棄し、
その後、前記廃棄ラインが無効かつ前記回収ラインが有効の状態に切り替えるとともに、薬液処理用の回転数で基板を回転させながら基板上に前記薬液を供給して基板の薬液処理を行い、その際に前記排液カップで受けた液を前記回収ラインによって回収するように予設定されることを特徴とする基板処理装置。
【請求項２】
前記基板保持部に保持された基板を囲繞するように、前記排液カップの内側に設けられ、前記基板保持部および基板とともに回転し、基板を回転した際に基板から振り切られた液を受けて前記排液カップに導くとともに、回転する際に前記排液カップに液の旋回流を形成する回転カップをさらに具備することを特徴とする請求項１に記載の基板処理装置。
【請求項３】
前記回転カップに、前記排液カップ内に挿入されかつ前記回転カップとともに回転して前記旋回流の形成をアシストする部材が接続されることを特徴とする請求項２に記載の基板処理装置。
【請求項４】
前記旋回流の形成をアシストする部材は、前記回転カップの筒状の外側壁部の下側部分であることを特徴とする請求項３に記載の基板処理装置。
【請求項５】
前記制御部は、第１の基板を第１の回転速度で回転させながら前記第１の基板上に前記リンス液を供給してリンス処理を行う工程と、
次に、前記第１の基板または新たな第２の基板である被処理基板を前記第１の回転速度以上の第２の回転速度で回転させながら前記被処理基板に前記薬液を供給して予備処理を行い、この際、前記廃棄ラインが有効かつ前記回収ラインが無効の状態として、前記排液カップで受けた液を前記廃棄ラインに送る工程と、
次に、前記被処理基板を前記第１の回転速度未満の第３の回転速度で回転させながら前記被処理基板上に前記薬液を供給して薬液処理を行い、この際、前記廃棄ラインが無効かつ前記回収ラインが有効の状態として、前記排液カップで受けた液を前記回収ラインに送る工程と
を実行するように予設定されることを特徴とする請求項１から請求項４のいずれか１項に記載の基板処理装置。
【請求項６】
前記被処理基板は前記第２の基板であり、前記制御部は、前記リンス処理の前に、前記第１の基板を前記第３の回転速度で回転させながら前記第１の基板上に前記薬液を供給して前記薬液処理を行う工程を実行するように予設定されることを特徴とする請求項５に記載の基板処理装置。
【請求項７】
前記被処理基板は前記第１の基板であり、前記制御部は、前記リンス処理の前に、前記第１の基板を前記第１の回転速度未満の回転速度で回転させながら前記第１の基板上に前記薬液と異なる薬液を供給して異なる薬液処理を行う工程を実行するように予設定されることを特徴とする請求項５に記載の基板処理装置。
【請求項８】
前記制御部は、前記リンス処理の際、前記廃棄ラインが有効かつ前記回収ラインが無効の状態として、前記排液カップで受けた液を前記廃棄ラインに送るように予設定される請求項５から請求項７のいずれか１項に記載の基板処理装置。
【請求項９】
前記制御部は、前記リンス処理の際、前記廃棄ラインとは異なる別の廃棄ラインが有効かつ前記回収ラインが無効の状態として、前記排液カップで受けた液を前記別の廃棄ラインに送るように予設定されることを特徴とする請求項５から請求項７のいずれか１項に記載の基板処理装置。
【請求項１０】
前記廃棄ラインと前記回収ラインとは、共通の排出管を介して前記排液カップに接続され、前記切替手段は、前記廃棄ラインと前記回収ラインとが分岐する位置で前記排出管に配設されかつ前記制御部で制御される切り替えバルブを具備することを特徴とする請求項１から請求項９のいずれか１項に記載の基板処理装置。
【請求項１１】
基板とともに回転可能な基板保持部に保持された基板の外側を囲繞するように設けられ、回転する基板から飛散する液を受ける環状の排液カップの内側で、薬液およびリンス液を供給して基板処理を行う基板処理方法であって、
薬液処理後の基板に前記リンス液を供給してリンス処理を行う工程と、
基板に前記薬液を供給して基板に対して薬液処理をする工程と、
を具備し、
前記リンス液によるリンス処理を基板に対して行った後に前記薬液による薬液処理を基板に対して行う際に、
最初に、リンス処理用の回転数以上の回転数で基板を回転させながら基板上に前記薬液を供給して前記排液カップを薬液により洗浄し、その際に前記排液カップで受けた液を廃棄し、
その後、薬液処理用の回転数で基板を回転させながら基板上に前記薬液を供給して基板の薬液処理を行い、その際に前記排液カップで受けた液を回収することを特徴とする基板処理方法。
【請求項１２】
前記基板保持部に保持された基板を囲繞するように、前記排液カップの内側に設けられ、前記基板保持部および基板とともに回転し、基板を回転した際に基板から振り切られた液を受けて前記排液カップに導く回転カップの回転にともなう旋回流で、薬液の排出を促進することを特徴とする請求項１１に記載の基板処理方法。
【請求項１３】
前記回転カップに、前記排液カップ内に挿入されかつ前記回転カップとともに回転して前記旋回流の形成をアシストする部材が接続されることを特徴とする請求項１２に記載の基板処理方法。
【請求項１４】
第１の基板を第１の回転速度で回転させながら前記第１の基板上に前記リンス液を供給してリンス処理を行う工程と、
次に、前記第１の基板または新たな第２の基板である被処理基板を前記第１の回転速度以上の第２の回転速度で回転させながら前記被処理基板に前記薬液を供給して予備処理を行い、この際、前記排液カップで受けた液を廃棄する工程と、
次に、前記被処理基板を前記第１の回転速度未満の第３の回転速度で回転させながら前記被処理基板上に前記薬液を供給して薬液処理を行い、この際、前記排液カップで受けた液を回収する工程と
を具備することを特徴とする請求項１１から請求項１３のいずれか１項に記載の基板処理方法。
【請求項１５】
前記被処理基板は前記第２の基板であり、前記方法は、前記リンス処理の前に、前記第１の基板を前記第３の回転速度で回転させながら前記第１の基板上に前記薬液を供給して前記薬液処理を行う工程を具備することを特徴とする請求項１４に記載の基板処理方法。
【請求項１６】
前記被処理基板は前記第１の基板であり、前記方法は、前記リンス処理の前に、前記第１の基板を前記第１の回転速度未満の回転速度で回転させながら前記第１の基板上に前記薬液と異なる薬液を供給して異なる薬液処理を行う工程を具備することを特徴とする請求項１４に移載の基板処理方法。
【請求項１７】
前記リンス処理の際、前記排液カップで受けた液を廃棄する工程を具備することを特徴とする請求項１１から請求項１６のいずれか１項に記載の基板処理方法。
【請求項１８】
コンピュータ上で動作し、基板処理装置を制御するためのプログラムが記憶されたコンピュータで読み取り可能な記憶媒体であって、
前記プログラムは、実行時に、前記基板処理装置を制御して、基板とともに回転可能な基板保持部に保持された基板の外側を囲繞するように設けられ、回転する基板から飛散する液を受ける環状の排液カップの内側で、薬液およびリンス液を供給して基板処理を行う基板処理方法を実行させ、前記方法は、
基板に前記リンス液を供給してリンス処理を行う工程と、
基板に前記薬液を供給して基板に対して薬液処理をする工程と、
を具備し、
前記リンス液によるリンス処理を基板に対して行った後に前記薬液による薬液処理を基板に対して行う際に、
最初に、リンス処理用の回転数以上の回転数で基板を回転させながら基板上に前記薬液を供給して前記排液カップを薬液により洗浄し、その際に前記排液カップで受けた液を廃棄し、
その後、薬液処理用の回転数で基板を回転させながら基板上に前記薬液を供給して基板の薬液処理を行い、その際に前記排液カップで受けた液を回収することを特徴とする記憶媒体。
【発明の詳細な説明】
【技術分野】
【０００１】
本発明は、例えば半導体ウエハ等の基板に対して洗浄処理のような所定の液処理を行う基板処理装置および基板処理方法、ならびそのような方法を実行させるためのプログラムが記憶された記憶媒体に関する。
【背景技術】
【０００２】
半導体デバイスの製造プロセスにおいては、被処理基板である半導体ウエハやガラス基板に処理液を供給して液処理を行うプロセスが多用されている。このようなプロセスとしては、例えば、基板に付着したパーティクルやコンタミネーション等を除去する洗浄処理を挙げることができる。
【０００３】
このような基板処理装置としては、基板である半導体ウエハをスピンチャックに保持し、基板を回転させた状態でウエハに薬液などの処理液を供給して洗浄処理を行うものが知られている。この種の装置では、通常、処理液は基板の中心に供給され、基板を回転させることにより処理液を外側に広げて液膜を形成し、処理液を基板の外方へ離脱させる。そして、このような洗浄処理の後、基板を薬液処理時より速く回転させた状態で基板に純水等のリンス液を供給してリンス液の液膜を形成し、リンス液を基板の外方へ離脱させるリンス処理を行う。このため、基板の外方へ振り切られた処理液やリンス液を受けて排液するための排液カップを基板の外側を囲繞するように設けている（例えば特許文献１）。
【０００４】
ところで、この種の基板処理装置においては、薬液としてアルカリ性薬液や酸性薬液等を用いるが、これらの薬液は比較的高価であり、回収して循環使用することが提案されている（例えば特許文献２）。この特許文献２には、リンス処理としての水洗後、純水が混合して濃度が低くなった薬液を回収することを避けるため、複数のカップを切り替えて使用する方法と、水洗処理後の薬液処理の最初の数秒間、薬液をドレインラインに排出し、その後回収ラインに切り替えて薬液を回収する技術が記載されている。
【０００５】
しかしながら、特許文献２に開示された技術のうち、前者の場合には、装置が大型化し、複雑なものとなってしまう。また、後者の場合には、リンス処理を確実に行う観点から薬液処理時より速い回転数でリンスしているため、カップの高いところまでリンス液である純水が付着しており、純水を洗い流すのに時間がかかって廃棄する薬液が多くなってしまい、薬液回収率が低いという問題点がある。
【特許文献１】特開２００２−３６８０６６号公報
【特許文献２】特開平５−２４３２０２号公報
【発明の開示】
【発明が解決しようとする課題】
【０００６】
本発明はかかる事情に鑑みてなされたものであって、複雑な機構を用いることなく、効率的に薬液を回収することができる基板処理装置および基板処理方法を提供することを目的とする。
また、このような基板処理方法を実行するためのプログラムが記憶された記憶媒体を提供することを目的とする。
【課題を解決するための手段】
【０００７】
上記課題を解決するために、基板を水平に保持し、基板とともに回転可能な基板保持部と、前記基板保持部を回転させる回転機構と、薬液を貯留する薬液タンクを有し、この薬液タンクから基板に薬液を供給する薬液供給機構と、基板にリンス液を供給するリンス液供給機構と、前記基板保持部に保持された基板の外側を囲繞するように設けられ、回転する基板から飛散する薬液またはリンス液を受ける環状の排液カップと、前記排液カップに接続され、前記排液カップで受けた液を廃棄する廃棄ラインと、前記排液カップに接続され、前記排液カップで受けた液を前記薬液タンクに回収する回収ラインと、前記回収ラインによる液の回収および前記廃棄ラインによる液の廃棄を切り替える切替手段と、前記薬液供給機構による前記薬液の供給、前記リンス液供給機構による前記リンス液の供給、前記回転機構による基板の回転、前記切替手段による液の廃棄および回収の切り替えを制御する制御部とを具備し、前記制御部は、前記リンス液によるリンス処理を基板に対して行った後に前記薬液による薬液処理を基板に対して行う際に、最初に、前記廃棄ラインが有効かつ前記回収ラインが無効の状態として、リンス処理用の回転数以上の回転数で基板を回転させながら基板上に前記薬液を供給して前記排液カップを薬液により洗浄し、その際に前記排液カップで受けた液を前記廃棄ラインによって廃棄し、その後、前記廃棄ラインが無効かつ前記回収ラインが有効の状態に切り替えるとともに、薬液処理用の回転数で基板を回転させながら基板上に前記薬液を供給して基板の薬液処理を行い、その際に前記排液カップで受けた液を前記回収ラインによって回収するように予設定されることを特徴とする基板処理装置を提供する。
【０００８】
上記第１の観点において、前記基板保持部に保持された基板を囲繞するように、前記排液カップの内側に設けられ、前記基板保持部および基板とともに回転し、基板を回転した際に基板から振り切られた液を受けて前記排液カップに導くとともに、回転する際に前記排液カップに液の旋回流を形成する回転カップをさらに具備することができる。前記回転カップに、前記排液カップ内に挿入されかつ前記回転カップとともに回転して前記旋回流の形成をアシストする部材が接続されるようにすることができる。この場合に、前記旋回流の形成をアシストする部材は、前記回転カップの筒状の外側壁部の下側部分とすることができる。
【０００９】
また、上記第１の観点において、前記制御部は、第１の基板を第１の回転速度で回転させながら前記第１の基板上に前記リンス液を供給してリンス処理を行う工程と、次に、前記第１の基板または新たな第２の基板である被処理基板を前記第１の回転速度以上の第２の回転速度で回転させながら前記被処理基板に前記薬液を供給して予備処理を行い、この際、前記廃棄ラインが有効かつ前記回収ラインが無効の状態として、前記排液カップで受けた液を前記廃棄ラインに送る工程と、次に、前記被処理基板を前記第１の回転速度未満の第３の回転速度で回転させながら前記被処理基板上に前記薬液を供給して薬液処理を行い、この際、前記廃棄ラインが無効かつ前記回収ラインが有効の状態として、前記排液カップで受けた液を前記回収ラインに送る工程とを実行するように予設定されるようにすることができる。
【００１０】
この場合に、前記被処理基板は前記第２の基板であり、前記制御部は、前記リンス処理の前に、前記第１の基板を前記第３の回転速度で回転させながら前記第１の基板上に前記薬液を供給して前記薬液処理を行う工程を実行するように予設定されることができる。代わりに、前記被処理基板は前記第１の基板であり、前記制御部は、前記リンス処理の前に、前記第１の基板を前記第１の回転速度未満の回転速度で回転させながら前記第１の基板上に前記薬液と異なる薬液を供給して異なる薬液処理を行う工程を実行するように予設定されることができる。
【００１１】
また、前記制御部は、前記リンス処理の際、前記廃棄ラインが有効かつ前記回収ラインが無効の状態として、前記排液カップで受けた液を前記廃棄ラインに送るように予設定されることができる。代わりに、前記制御部は、前記リンス処理の際、前記廃棄ラインとは異なる別の廃棄ラインが有効かつ前記回収ラインが無効の状態として、前記排液カップで受けた液を前記別の廃棄ラインに送るように予設定されることができる。
【００１２】
また、前記廃棄ラインと前記回収ラインとは、共通の排出管を介して前記排液カップに接続され、前記切替手段は、前記廃棄ラインと前記回収ラインとが分岐する位置で前記排出管に配設されかつ前記制御部で制御される切り替えバルブを具備することができる。
【００１３】
本発明の第２の観点では、基板とともに回転可能な基板保持部に保持された基板の外側を囲繞するように設けられ、回転する基板から飛散する液を受ける環状の排液カップの内側で、薬液およびリンス液を供給して基板処理を行う基板処理方法であって、薬液処理後の基板に前記リンス液を供給してリンス処理を行う工程と、基板に前記薬液を供給して基板に対して薬液処理をする工程と、を具備し、前記リンス液によるリンス処理を基板に対して行った後に前記薬液による薬液処理を基板に対して行う際に、最初に、リンス処理用の回転数以上の回転数で基板を回転させながら基板上に前記薬液を供給して前記排液カップを薬液により洗浄し、その際に前記排液カップで受けた液を廃棄し、その後、薬液処理用の回転数で基板を回転させながら基板上に前記薬液を供給して基板の薬液処理を行い、その際に前記排液カップで受けた液を回収することを特徴とする基板処理方法を提供する。
【００１４】
上記第２の観点において、前記基板保持部に保持された基板を囲繞するように、前記排液カップの内側に設けられ、前記基板保持部および基板とともに回転し、基板を回転した際に基板から振り切られた液を受けて前記排液カップに導く回転カップの回転にともなう旋回流で薬液の排出を促進するようにすることができる。この場合に、前記回転カップに、前記排液カップ内に挿入されかつ前記回転カップとともに回転して前記旋回流の形成をアシストする部材が接続されるようにすることができる。
【００１５】
また、上記第２の観点において、第１の基板を第１の回転速度で回転させながら前記第１の基板上に前記リンス液を供給してリンス処理を行う工程と、次に、前記第１の基板または新たな第２の基板である被処理基板を前記第１の回転速度以上の第２の回転速度で回転させながら前記被処理基板に前記薬液を供給して予備処理を行い、この際、前記排液カップで受けた液を廃棄する工程と、次に、前記被処理基板を前記第１の回転速度未満の第３の回転速度で回転させながら前記被処理基板上に前記薬液を供給して薬液処理を行い、この際、前記排液カップで受けた液を回収する工程とを具備するようにすることができる。
【００１６】
この場合に、前記被処理基板は前記第２の基板であり、前記方法は、前記リンス処理の前に、前記第１の基板を前記第３の回転速度で回転させながら前記第１の基板上に前記薬液を供給して前記薬液処理を行う工程を具備することができる。代わりに、前記被処理基板は前記第１の基板であり、前記方法は、前記リンス処理の前に、前記第１の基板を前記第１の回転速度未満の回転速度で回転させながら前記第１の基板上に前記薬液と異なる薬液を供給して異なる薬液処理を行う工程を具備することができる。
【００１７】
また、上記第２の観点において、前記リンス処理の際、前記排液カップで受けた液を廃棄する工程を具備することができる。
【００１８】
本発明の第３の観点では、コンピュータ上で動作し、基板処理装置を制御するためのプログラムが記憶されたコンピュータで読み取り可能な記憶媒体であって、前記プログラムは、実行時に、前記基板処理装置を制御して、基板とともに回転可能な基板保持部に保持された基板の外側を囲繞するように設けられ、回転する基板から飛散する液を受ける環状の排液カップの内側で、薬液およびリンス液を供給して基板処理を行う基板処理方法を実行させ、前記方法は、基板に前記リンス液を供給してリンス処理を行う工程と、基板に前記薬液を供給して基板に対して薬液処理をする工程と、を具備し、前記リンス液によるリンス処理を基板に対して行った後に前記薬液による薬液処理を基板に対して行う際に、最初に、リンス処理用の回転数以上の回転数で基板を回転させながら基板上に前記薬液を供給して前記排液カップを薬液により洗浄し、その際に前記排液カップで受けた液を廃棄し、その後、薬液処理用の回転数で基板を回転させながら基板上に前記薬液を供給して基板の薬液処理を行い、その際に前記排液カップで受けた液を回収することを特徴とする記憶媒体を提供する。
【発明の効果】
【００１９】
本発明によれば、排液カップから排出管を介して薬液を回収可能な基板処理装置において、リンス液によるリンス処理後に薬液による薬液処理を行う際に、最初にリンス処理用の回転数以上の回転数で前記回転機構により基板を回転させながら前記薬液供給機構により薬液を供給して前記排液カップを薬液により洗浄し、その液を廃棄してから、その際の薬液処理の際の薬液を回収するので、薬液洗浄の際に薬液が排液カップに残存しているリンス液の高さまで容易に達し、薬液により短時間でリンス液を洗い流すことができる。このため、廃棄する薬液を少なくすることができ、その後の薬液処理の際に効率的に薬液を回収することができる。
【発明を実施するための最良の形態】
【００２０】
以下、添付図面を参照しつつ本発明の実施形態について詳細に説明する。ここでは、本発明を半導体ウエハ（以下、単にウエハと記す）の表裏面洗浄を行う液処理装置に適用した場合について示す。
【００２１】
図１は本発明の一実施形態に係る基板処理装置の概略構成を示す断面図、図２はその平面図、図３は図１の基板処理装置の排気・排液部を拡大して示す断面図である。
【００２２】
この基板処理装置１００は、図示しない液処理システムに複数台組み込まれている。図１および図２に示すように、液処理装置１００は、ベースプレート１と、被処理基板であるウエハＷを回転可能に保持するウエハ保持部２と、このウエハ保持部２を回転させる回転モータ３と、ウエハ保持部２に保持されたウエハＷを囲繞するように設けられ、ウエハ保持部２とともに回転する回転カップ４と、ウエハＷの表面に処理液を供給する表面側液供給ノズル５と、ウエハＷの裏面に処理液を供給する裏面側液供給ノズル６と、回転カップ４の周縁部に設けられた排気・排液部７とを有している。また、排気・排液部７の周囲およびウエハＷの上方を覆うようにケーシング８が設けられている。ケーシング８の上部には液処理システムのファン・フィルター・ユニット（ＦＦＵ）からの気流を側部に設けられた導入口９ａを介して導入する気流導入部９が設けられており、ウエハ保持部２に保持されたウエハＷに清浄空気のダウンフローが供給されるようになっている。
【００２３】
ウエハ保持部２は、水平に設けられた円板状をなす回転プレート１１と、その裏面の中心部に接続され、下方鉛直に延びる円筒状の回転軸１２とを有している。回転プレート１１の中心部には、回転軸１２内の孔１２ａに連通する円形の孔１１ａが形成されている。そして、裏面側液供給ノズル６を備えた昇降部材１３が孔１２ａおよび孔１１ａ内を昇降可能に設けられている。回転プレート１１には、ウエハＷの外縁を保持する保持部材１４が設けられており、図２に示すように、これらは３つ等間隔で配置されている。この保持部材１４は、ウエハＷが回転プレート１１から少し浮いた状態で水平にウエハＷを保持するようになっている。この保持部材１４はウエハＷの端面を保持可能な保持部１４ａと、保持部１４ａから回転プレート裏面側中心方向に延在する着脱部１４ｂと、保持部１４ａを垂直面内で回動させる回転軸１４ｃとを有し、着脱部１４ｂの先端部を図示しないシリンダ機構により上方に押し上げることにより、保持部１４ａが外側に回動してウエハＷの保持が解除される。保持部材１４は、図示しないバネ部材により保持部１４ａがウエハＷを保持する方向に付勢されており、シリンダ機構を作動させない場合には保持部材１４によりウエハＷが保持された状態となる。
【００２４】
回転軸１２は、２つのベアリング１５ａを有する軸受け部材１５を介してベースプレート１に回転可能に支持されている。回転軸１２の下端部にはプーリー１６が嵌め込まれており、プーリー１６にはベルト１７が巻き掛けられている。ベルト１７はモータ３の軸に取り付けられたプーリー１８にも巻き掛けられている。そして、モータ３を回転させることによりプーリー１８、ベルト１７およびプーリー１６を介して回転軸１２を回転するようになっている。
【００２５】
表面側液供給ノズル５は、ノズル保持部材２２に保持された状態でノズルアーム２２ａの先端に取り付けられており、ノズルアーム２２ａ内に設けられた流路８３ａを通って薬液やリンス液としての純水が供給され、その内部に設けられたノズル孔５ａを介して薬液や純水を吐出するようになっている。
【００２６】
図２にも示すように、ノズルアーム２２ａは駆動機構８１により軸２３を中心として回動可能に設けられており、ノズルアーム２２ａを回動させることにより、表面側液供給ノズル５がウエハＷ中心上および外周上のウエハ洗浄位置と、ウエハＷの外方の退避位置とを取り得るようになっている。また、ノズルアーム２２ａはシリンダ機構等の昇降機構８２により上下動可能となっている。
【００２７】
ノズルアーム２２ａ内には流路８３が設けられており、表面側液供給ノズル５のノズル孔５ａは流路８３の一端に繋がっている。また、流路８３の他端には配管８４ａが接続されている。配管８４ａにはバルブ８６、８７が設けられている。バルブ８６には配管８８が接続されており、配管８８の他端には薬液タンク８９が接続されている。バルブ８７には配管９０が接続されており、配管９０の他端には純水（ＤＩＷ）を供給するＤＩＷ供給源９１が接続されている。そして、薬液タンク８９およびＤＩＷ供給源９１から、配管８４ａおよび流路８３を通って表面液供給ノズル５へそれぞれ薬液および純水を供給可能となっている。なお、薬液タンク８９には、薬液を補充する薬液補充ライン９６ａおよび薬液を希釈するための純水を供給する純水供給ライン９６ｂが接続されている。
【００２８】
裏面側液供給ノズル６は昇降部材１３の中心に設けられており、その内部に長手方向に沿って延びるノズル孔６ａが形成されている。ノズル孔６ａの下端には配管８４ｂが接続されている。配管８４ｂにはバルブ９２、９３が設けられている。バルブ９２には配管９４が接続されており、配管９４の他端には上記薬液タンク８９が接続されている。バルブ９３には配管９５が接続されており、配管９５の他端には上記ＤＩＷ供給源９１が接続されている。そして、薬液タンク８９およびＤＩＷ供給源９１から、配管８４ｂを通って裏面液供給ノズル６へそれぞれ薬液および純水を供給可能となっている。
【００２９】
薬液としては、例えば酸薬液である希フッ酸（ＤＨＦ）、アルカリ薬液であるアンモニア過水（ＳＣ１）等を挙げることができ、１種または２種以上の薬液を供給可能となっている。供給する薬液が２種以上の場合は、それぞれにタンクを設けて、同様に配管８４ａ、８４ｂに接続すればよい。
【００３０】
昇降部材１３の上端部にはウエハＷを支持するウエハ支持台２４を有している。ウエハ支持台２４の上面には、ウエハＷを支持するための３本のウエハ支持ピン２５（２本のみ図示）を有している。そして、裏面側液供給ノズル６の下端には接続部材２６を介してシリンダ機構２７が接続されており、このシリンダ機構２７によって昇降部材１３を昇降させることによりウエハＷを昇降させてウエハＷのローディングおよびアンローディングが行われる。
【００３１】
回転カップ４は、回転プレート１１の端部上方から内側斜め上方に延びる円環状の庇部３１と、庇部３１の外端部から垂直下方へ延びる筒状の外側壁部３２を有している。そして、図３の拡大図に示すように、外側壁部３２と回転プレート１１との間には円環状の隙間３３が形成されており、この隙間３３からウエハＷが回転プレート１１および回転カップ４とともに回転されて飛散した薬液やリンス液である純水が下方に導かれる。
【００３２】
庇部３１と回転プレート１１との間にはウエハＷとほぼ同じ高さの位置に板状をなす案内部材３５が介在されている。図４に示すように、庇部３１と案内部材３５との間、案内部材３５と回転プレート１１との間には、それぞれ処理液やリンス液を通過させる複数の開口３６および３７を形成するための複数のスペーサ部材３８および３９が周方向に沿って配置されている。庇部３１と、案内部材３５と、回転プレート１１と、これらの間のスペーサ部材３８，３９とは、ねじ４０によりねじ止めされている。
【００３３】
案内部材３５は、その表裏面がウエハＷの表裏面と略連続するように設けられている。そして、モータ３によりウエハ保持部２および回転カップ４をウエハＷとともに回転させて表面側液供給ノズル５からウエハＷ表面の中心に処理液を供給した際には、処理液は遠心力でウエハＷの表面を広がり、ウエハＷの周縁から振り切られる。このウエハＷ表面から振り切られた処理液は、略連続して設けられた案内部材３５の表面に案内されて開口３６から外方へ排出され、外側壁部３２によって下方へ導かれる。また、同様にウエハ保持部２および回転カップ４をウエハＷとともに回転させて裏面側液供給ノズル６からウエハＷの裏面の中心に処理液を供給した際には、処理液は遠心力でウエハＷの裏面を広がり、ウエハＷの周縁から振り切られる。このウエハＷ裏面から振り切られた処理液は、略連続して設けられた案内部材３５の裏面に案内されて開口３７から外方へ排出され、外側壁部３２によって下方へ導かれる。このときスペーサ部材３８、３９および外側壁部３２に到達した処理液には遠心力が作用しているから、これらがミストとなって内側へ戻ることが阻止される。
【００３４】
また、案内部材３５はこのようにウエハＷ表面および裏面から振り切られた処理液を案内するので、ウエハＷの周縁から脱離した処理液が乱流化し難く、処理液をミスト化させずに回転カップ４外へ導くことができる。なお、図２に示すように、案内部材３５には、ウエハ保持部材１４に対応する位置に、ウエハ保持部材１４を避けるように切り欠き部４１が設けられている。
【００３５】
排気・排液部７は、主に回転プレート１１と回転カップ４に囲繞された空間から排出される気体および液体を回収するためのものであり、図３の拡大図にも示すように、回転カップ４から排出された処理液やリンス液を受ける環状をなす排液カップ５１と、排液カップ５１を収容するように排液カップ５１と同心状の環状をなす排気カップ５２とを備えている。
【００３６】
図１および図３に示すように、排液カップ５１は、回転カップ４の外側に、外側壁部３２に近接して垂直に設けられた筒状をなす外周壁５３と、外周壁５３の下端部から内側に向かって延びる内側壁５４とを有している。内側壁５４の内周には内周壁５４ａが垂直に形成されている。これら外周壁５３および内側壁５４によって規定される環状の空間が回転カップ４から排出された処理液やリンス液を収容する液収容部５６となっている。また、外周壁５３の上端には、排液カップ５１からの処理液の飛び出しを防止するために回転カップ４の上方部分に張り出した張り出し部５３ａが設けられている。液収容部５６の保持部材１４の外側に対応する位置には、内側壁５４から回転プレート１１の下面近傍まで延び、排液カップ５１の周方向に沿って環状に設けられた仕切り壁５５を有している。そして、液収容部５６は、この仕切り壁５５によって、隙間３３から排出される液を受ける主カップ部５６ａと、保持部材１４の保持部１４ａ近傍部分から滴下される液を受ける副カップ部５６ｂに分離されている。液収容部５６の底面５７は、仕切り壁５５により主カップ部５６ａに対応する第１部分５７ａと、副カップ部５６ｂに対応する第２部分５７ｂとに分かれており、これらはいずれも外側から内側（回転中心側）に向かって上昇するように傾斜している。そして、第２部分５７ｂの内側端は保持部材１４の保持部１４ａよりも内側（回転中心側）に対応する位置に達している。仕切り壁５５は、回転プレート１１が回転した際に、保持部材１４の回転プレート１１の下方に突出した部分によって形成された気流がミストを随伴してウエハＷ側に到達することを阻止する役割を有している。仕切り壁５５には、副カップ部５６ｂから主カップ部５６ａに処理液を導くための孔５８が形成されている（図１参照）。
【００３７】
図１に示すように、排液カップ５１の内側壁５４の最外側部分には液収容部５６から液を排出する１箇所の排液口６０が設けられており、排液口６０には液を排出する排液管６１が接続されている。そして、排液管６１には、切り替えバルブ１１１が設けられており、切り替えバルブ１１１には薬液を回収する薬液回収ライン１１２が接続されている。切り替えバルブ１１１は、排液管６１を回収ライン１１２と廃棄ラインであるドレイン管１１３との間で切り替えるようになっている。
【００３８】
排液カップ５１内では、ウエハＷ、回転プレート１１および回転カップ４が一体的に回転することにより、回転カップ４から排出されて貯留された処理液やリンス液の旋回流が形成され、排液口６０および排液管６１を介して排出される。この旋回流は、ウエハＷの回転プレート１１の回転のみによっても生じるが、回転カップ４が回転する際に排液カップ５１内に挿入された外側壁部３２の下端部分によって形成される旋回気流に排液カップ５１内の処理液やリンス液が随伴することにより、ウエハＷと回転プレート１１のみで生じる旋回流よりも高速の旋回流を形成することができ、排液口６０から液を排出する速度を高いものとすることができる。
【００３９】
排気カップ５２は、排液カップ５１の外周壁５３の外側部分に垂直に設けられた外側壁６４と、保持部材１４の内側部分に垂直にかつその上端が回転プレート１１に近接するように設けられた内側壁６５と、ベースプレート１上に設けられた底壁６６と、外側壁６４から上方へ湾曲するとともに、回転カップ４の上方を覆うように設けられた上側壁６７とを有している。そして、排気カップ５２は、その上側壁６７と回転カップ４の庇部３１との間の環状をなす導入口６８から回転カップ４内およびその周囲の主にガス成分を取り込んで排気するようになっている。また、排気カップ５２の下部には、図１および図３に示すように、排気口７０が設けられており、排気口７０には排気管７１が接続されている。排気管７１の下流側には図示しない吸引機構が設けられており、回転カップ４の周囲を排気することが可能となっている。排気口７０は複数設けられており、処理液の種類に応じて切り替えて使用することが可能となっている。
【００４０】
排液カップ５１の外側壁である外周壁５３と排気カップ５２の外側壁６４との間には環状をなす外側環状空間９９ａが形成されており、また排液カップ５１の底部と排気カップ５２の底部との間の排気口７０の外側部分には、周方向に沿って多数の通気孔９８が形成された環状の気流調整部材９７が設けられている。そして、外側環状空間９９ａと気流調整部材９７は排気カップ５２に取り入れられ、排気口７０に至る気流を調整して均一に排気する機能を有している。すなわち、このように環状の空間である外側環状空間９９ａを通って気流を全周に亘って均一に下方へ導き、多数の通気孔９８を形成した気流調整部材９７を設けて圧力損失つまり気流の抵抗を与えるとともに気流を分散することにより、排気口７０からの距離によらず比較的均一に排気を行うことができる。
【００４１】
また、排液カップ５１の内周壁５４ａと排気カップ５２の内側壁６５との間には環状をなす内側環状空間９９ｂが形成されており、さらに、排液カップ５１の内周側には排気カップ５２の底壁との間の隙間７７が形成されている。そして、導入口６８から取り入れられた気体成分は、外側環状空間９９ａのみならず、排液カップ５１の液収容部５６にも多少流れ、その気流は液収容部５６から内側環状空間９９ｂを通って全周に亘って均一に下方に導かれ、隙間７７を通って排気口７０から比較的均一に排気を行うことができる。
【００４２】
このように、排液カップ５１からの排液と排気カップ５２からの排気が独立して行われるようになっているので、排液と排気を分離した状態で導くことが可能となる。また、排液カップ５１からミストが漏出しても排気カップ５２がその周囲を囲繞しているので速やかに排気口７０を介して排出され、ミストが外部に漏出することが確実に防止される。
【００４３】
基板処理装置１００はマイクロプロセッサ（コンピュータ）からなるプロセスコントローラ１２１を有しており、基板処理装置１００の各構成部、例えば回転モータ３、バルブ類、シリンダの駆動機構等がこのプロセスコントローラ１２１に接続されて制御される構成となっている。また、プロセスコントローラ１２１には、工程管理者が基板処理装置１００の各構成部を管理するためにコマンドの入力操作などを行うキーボードや、基板処理装置１００の各構成部の稼働状況を可視化して表示するディスプレイ等からなるユーザーインターフェース１２２が接続されている。さらに、プロセスコントローラ１２１には、基板処理装置１００で実行される各種処理をプロセスコントローラ１２１の制御にて実現するための制御プログラムや、処理条件に応じて液処理装置１００の各構成部に所定の処理を実行させるための制御プログラムすなわちレシピが格納された記憶部１２３が接続されている。レシピは記憶部１２３の中の記憶媒体に記憶されている。記憶媒体は、ハードディスク等の固定的なものであってもよいし、ＣＤＲＯＭ、ＤＶＤ、フラッシュメモリ等の可搬性のものであってもよい。また、他の装置から、例えば専用回線を介してレシピを適宜伝送させるようにしてもよい。
【００４４】
そして、必要に応じて、ユーザーインターフェース１２２からの指示等にて任意のレシピを記憶部１２３から呼び出してプロセスコントローラ１２１に実行させることで、プロセスコントローラ１２１の制御下で、基板処理装置１００での所望の処理が行われる。
【００４５】
次に、以上のように構成される基板処理装置１００の動作について図５〜７に基づいて説明する。本実施形態における以下の洗浄処理動作は、記憶部１２３に格納されたレシピに基づいてプロセスコントローラ１２１によって制御される。
【００４６】
まず、図５の（ａ）に示すように、昇降部材１３を上昇させた状態で、図示しない搬送アームからウエハ支持台２４の支持ピン２５上にウエハＷを受け渡す。次いで、図５の（ｂ）に示すように、昇降部材１３を、ウエハＷを保持部材１４により保持可能な位置まで下降させ、保持部材１４によりウエハＷをチャッキングする。そして、図５の（ｃ）に示すように、表面側液供給ノズル５を退避位置からウエハ洗浄位置に移動させる。
【００４７】
この状態で、図５の（ｄ）に示すように、回転モータ３によりウエハＷを保持部材２および回転カップ４とともに回転させながら、表面側液供給ノズル５および裏面側液供給ノズル６から処理液として所定の薬液を供給してウエハＷの洗浄処理を行う。
【００４８】
このウエハ洗浄処理においては、ウエハＷが回転された状態で、表面側液供給ノズル５および裏面側液供給ノズル６からウエハＷの表面および裏面の中央に薬液が供給される。これにより、薬液が遠心力によりウエハＷの外側に広がり、その過程で洗浄処理がなされる。そして、このように洗浄処理に供された薬液は、ウエハＷの周縁から振り切られる。振り切られた薬液は、排液カップ５１に至り、基本的に排液管６１および回収配管１１２を介して薬液タンク８９に回収され、循環使用される。
【００４９】
この薬液処理の際のウエハＷの回転数は、２００〜７００ｒｐｍの範囲であることが好ましい。また、薬液の供給量は、２．０〜４．０Ｌ／ｍｉｎであることが好ましい。
【００５０】
このような薬液処理の後、処理液をリンス液である純水に切り替えて、薬液処理のときと同様、図５の（ｄ）に示すように回転モータ３によりウエハＷを保持部材２および回転カップ４とともに回転させながら、表面側液供給ノズル５および裏面側液供給ノズル６からリンス液である純水を供給してウエハＷのリンス処理を行う。この際、切り替えバルブ１１１を回収配管１１２からドレイン管１１３側へ切り替えて排液カップ５１で受けた液を廃棄する。このリンス処理の際のウエハの回転数は、３００〜１５００ｒｐｍの範囲であることが好ましい。また、純水の供給量は、２．０〜４．０Ｌ／ｍｉｎであることが好ましい。
【００５１】
ウエハＷの洗浄処理やリンス処理においては、ウエハＷの外側を囲繞するように設けられているカップがウエハＷとともに回転する回転カップ４であるから、ウエハＷから振り切られた薬液やリンス液が回転カップ４に当たった際に処理液に遠心力が作用し、固定カップの場合のような飛び散り（ミスト化）は発生し難い。そして回転カップ４に達した処理液は下方に導かれ、隙間３３から排液カップ５１における液収容部５６の主カップ部５６ａに排出される。一方、回転プレート１１の保持部材１４の取り付け位置には、保持部１４ａを挿入する穴が設けられているため、その部分から排液カップ５１の副カップ部５６ｂに処理液が滴下される。そして、このようにして排液カップ５１に受け止められた薬液やリンス液は、その中を旋回しながら排液口６０から排液管６１を通って排出されるが、回転カップ４の回転にともなって外側壁部３２より排液カップ５１内に形成される旋回気流が形成され、排液カップ５１内の薬液やリンス液がこの旋回気流に随伴することにより、より高速な旋回流となって排液口６０から排液管６１を通って極めて短時間に排出させることができる。
【００５２】
また、排気カップ５２には、その上側壁６７と回転カップ４の庇部３１との間の環状をなす導入口６８から回転カップ４内およびその周囲の主にガス成分が取り込まれ排気口７０から排気管７１を通って排気される。
【００５３】
このようにして薬液処理および純水によるリンス処理が行われた後、次の薬液処理が、異なる薬液を使用して同じウエハに対して行われるか、あるいは同じ薬液を使用して次のウエハに対して行われる。しかしながら、リンス処理の際の純水は完全に排出することはできず、次の薬液処理の開始時点では、図６に示すように、排液カップ５１に残留純水１３０が存在する。
【００５４】
このように残留純水１３０が存在する状態で次の薬液処理を行うと排液カップ５１に到達した薬液に残留純水１３０が混合され、薬液濃度が低下してしまう。このため、最初の薬液は残留純水１３０を洗い流す、いわゆる「共洗い」に用いる。すなわち、まず、切り替えバルブ１１１をドレイン管１１３側に接続して（廃棄ライン１１３が有効かつ回収ライン１１２が無効の状態として）排液カップ５１の薬液を廃棄する。そして、残留純水が消失してから切り替えバルブ１１１を回収ライン１１２側に切り替えて（廃棄ライン１１３が無効かつ回収ライン１１２が有効の状態として）薬液の回収を開始する。
【００５５】
しかしながら、リンス処理の際は回転数が上述したように３００〜１５００ｒｐｍと比較的高く、飛散した純水が排液カップ５１の外周壁５３内側の上部まで達するのに対し、薬液処理の際にはリンス処理の際よりも回転数が低く、具体的には２００〜７００ｒｐｍであるため、図７の（ａ）に示すように、薬液が排液カップ５１の外周壁５３の内側上部まで到達し難い。このため、薬液による共洗いの時間を長くせざるを得ず、回収されずに廃棄される薬液の量が多くなって薬液の回収率が低下してしまう。
【００５６】
そこで、本実施形態では、リンス処理後の薬液処理において、最初にリンス処理の際と同じ回転数かまたはそれ以上の回転数で回転モータ３によりウエハＷを回転させながら、ウエハＷに薬液を供給して排液カップ５１を共洗いする。これにより、図７の（ｂ）に示すように、薬液が排液カップの残留純水１３０の位置まで速やかに到達し、短時間で残留純水１３０を洗い流すことができるので、薬液による共洗いの時間を短縮することができる。
【００５７】
その後、ウエハＷの回転数を上述した２００〜７００ｒｐｍの通常の薬液処理の回転数に落とし、切り替えバルブ１１１を回収ライン１１２側へ切り替えて薬液の回収を開始して、薬液処理を継続する。
【００５８】
このように、共洗いの際にリンス処理の際と同じかまたはそれ以上の回転数で回転させることにより、共洗いの時間を短縮することができるので、廃棄する薬液の量が減少し、洗浄処理における薬液の回収率を上昇させることができる。
【００５９】
次に、本発明の他の実施形態について説明する。
図８は、本発明の他の実施形態に係る基板処理装置の排液カップを示す断面図である。上記実施形態では、回転カップ４を有する装置に本発明を適用する例に付いて示したが、本実施形態では、回転カップを用いない例について説明する。
【００６０】
本実施形態の基板処理装置は、回転カップを設けていない他は、基本的に従前の実施形態の基板処理装置と同様に構成されている。このような基板処理装置では、回転カップが存在していないことから、ウエハＷから飛散した液体が直接排液カップ５１に達する。そして、従前の実施形態と同様に薬液処理を行い、引き続きリンス処理を行った後は、図８に示すように排液カップ５１の外周壁５３の内側等へ残留純水１３０が存在する。
【００６１】
このように回転カップが存在しない場合でも、リンス処理の後に次の薬液処理が行われる際に、最初に、リンス時の回転数と同じかまたはそれ以上の回転数でウエハＷを回転させることにより、図９に示すように、リンス処理時に存在する最上部の残留純水１３０に速やかに達することができ、薬液の共洗い時間を短時間にすることができる。
【００６２】
しかし、従前の実施形態の場合には、回転カップ４の回転により排液カップ５１内に旋回流を生じさせ、その旋回流によって排液カップ５１内の液を迅速に排出することができるのに対し、本実施形態の場合には、このような回転カップの旋回流が存在しないため、従前の実施形態よりも共洗いの薬液の排出時間が従前の実施形態よりも長くなってしまう。すなわち、本実施形態では薬液処理の最初の段階でリンス処理と同等またはそれ以上の回転数でウエハＷを回転させることによる共洗いの短時間化という効果は得られるが、回転カップを有する従前の実施形態では、このような共洗いの短時間化という効果に加え、共洗い薬液の排出の迅速化という効果も得られるため、従前の実施形態のほうが薬液回収率を高くすることができる。
【００６３】
図１０は、本発明の他の実施形態に係る基板処理装置（液処理装置）の排液系統を給液系統のタンクとともに示す図である。
【００６４】
図１に示す液処理装置１００においては、理解を容易にするため、１つの薬液についてのみ示している。しかし、液処理装置は、各ウエハＷに対して、アルカリ薬液と酸薬液とを連続工程で使用して洗浄処理を行うように構成される場合がある。図１０は、そのような液処理装置の排液系統を示す。
【００６５】
具体的には、排液管６１には排液切替部１１１Ｘが接続されており、排液切替部１１１Ｘに、酸排液を廃棄するための酸廃棄ライン１１３ａ、アルカリ排液を廃棄するためのアルカリ廃棄ライン１１３ｂ、酸薬液を回収するための酸回収ライン１１２ａ、アルカリ薬液を回収するためのアルカリ回収ライン１１２ｂが接続される。酸回収ライン１１２ａ、アルカリ回収ライン１１２ｂは、給液系統の酸薬液（例えば、希フッ酸（ＤＨＦ））のタンク８９ａおよびアルカリ薬液（例えば、アンモニア過水（ＳＣ１））のタンク８９ｂに夫々接続される。酸廃棄ライン１１３ａ、アルカリ廃棄ライン１１３ｂ、酸回収ライン１１２ａ、アルカリ回収ライン１１２ｂには、それぞれバルブ１１４が設けられている。
【００６６】
この構成によれば、各ウエハＷに対して以下のようなシーケンスで処理工程を行うことにより、処理液の種類に応じて分別可能となる。これにより、各ウエハＷに対して複数の薬液を使用する場合でも、先の実施形態と同様な効果を得ることができる。なお、以下の説明では、基板の回転については、図５〜７を参照して説明したシーケンスと実質的に同じであるため、説明を省略する。また、希フッ酸（ＤＨＦ）洗浄とアンモニア過水（ＳＣ１）洗浄との順序は、以下の説明の逆であってもよい。
【００６７】
すなわち、希フッ酸（ＤＨＦ）洗浄の際には排液切替部１１１Ｘを酸回収ライン１１２ａに切り替えて希フッ酸（ＤＨＦ）排液を回収する。希フッ酸（ＤＨＦ）洗浄の後のリンス処理の際には排液切替部１１１Ｘを酸廃棄ライン１１３ａに切り替えて希フッ酸（ＤＨＦ）にリンス液が混合した排液を廃棄する。
【００６８】
このリンス処理後の、アンモニア過水（ＳＣ１）洗浄の際には、前述の共洗い処理として、まず、排液切替部１１１Ｘをアルカリ廃棄ライン１１３ｂに切り替えてアンモニア過水（ＳＣ１）にリンス液が混合した排液を廃棄する。続いて、排液切替部１１１Ｘをアルカリ回収ライン１１２ｂに切り替えてアンモニア過水（ＳＣ１）排液を回収する。アンモニア過水（ＳＣ１）洗浄後のリンス処理の際には排液切替部１１１Ｘをアルカリ廃棄ライン１１３ｂに切り替えてアンモニア過水（ＳＣ１）にリンス液が混合した排液を廃棄する。
【００６９】
なお、本発明は上記実施形態に限定されることなく種々変形可能である。例えば、上記実施形態では、ウエハの表裏面洗浄を行う洗浄処理装置を例にとって示したが、本発明はこれに限らず、表面のみまたは裏面のみの洗浄処理を行う洗浄処理装置であってもよく、また、洗浄処理に限らず、他の液処理であっても構わない。さらに、上記実施形態では被処理基板として半導体ウエハを用いた場合について示したが、液晶表示装置（ＬＣＤ）用のガラス基板に代表されるフラットパネルディスプレイ（ＦＰＤ）用の基板等、他の基板に適用可能であることは言うまでもない。
【産業上の利用可能性】
【００７０】
本発明は、半導体ウエハに付着したパーティクルやコンタミネーションを除去するための洗浄装置に有効である。
【図面の簡単な説明】
【００７１】
【図１】本発明の一実施形態に係る基板処理装置の概略構成を示す断面図。
【図２】本発明の一実施形態に係る基板処理装置を一部切り欠いて示す概略平面図。
【図３】図１の基板処理装置の排気・排液部を拡大して示す断面図。
【図４】図１の基板処理装置の回転カップおよび案内部材の取り付け状態を説明するための図。
【図５】本発明の一実施形態に係る基板処理装置の洗浄処理の動作を説明するための図。
【図６】排液カップにおけるリンス処理後の残留純水の状態を示す断面図。
【図７】リンス処理後の薬液による共洗いの際にリンス処理の際よりもウエハの回転数を低くした場合および本実施形態に従ってリンス処理の際のウエハの回転数と同等またはそれ以上にした場合の排液カップの状態を模式的に示す断面図。
【図８】本発明の他の実施形態に係る基板処理装置の排液カップを示す断面図。
【図９】図８の状態から本発明の実施形態に従ってウエハの回転数をリンス処理の際の回転数と同等またはそれ以上にした場合の排液カップの状態を示す断面図。
【図１０】本発明の他の実施形態に係る基板処理装置（液処理装置）の排液系統を給液系統のタンクとともに示す図。
【符号の説明】
【００７２】
１；ベースプレート
２；ウエハ保持部
３；回転モータ
４；回転カップ
５；表面側液供給ノズル
６；裏面側液供給ノズル
７；排気・排液部
８；ケーシング
９；気流導入部
１１；回転プレート
１２；回転軸
１３；昇降部材
１４；保持部材
２２；ノズル保持部材
２２ａ；ノズルアーム
３１；庇部
３２；外側壁部
３３；隙間
３５；案内部材
５１；排液カップ
５２；排気カップ
５３；外周壁
５４；内側壁
５６；液収容部
６１；排液管
８４ａ；薬液供給配管
８８；薬液タンク
１００；基板処理装置
１１１；切り替えバルブ
１１１Ｘ；排液切替部
１１２；回収配管
１１２ａ；酸回収ライン
１１２ｂ；アルカリ回収ライン
１１３；廃棄ライン
１１３ａ；酸廃棄ライン
１１３ｂ；アルカリ廃棄ライン
１１４；バルブ
１２１；プロセスコントローラ
１２２；ユーザーインターフェース
１２３；記憶部
１３０；残留純水
Ｗ；ウエハ
【図１】
0005184253.tif 000002
【図２】
0005184253.tif 000003
【図３】
0005184253.tif 000004
【図４】
0005184253.tif 000005
【図５】
0005184253.tif 000006
【図６】
0005184253.tif 000007
【図７】
0005184253.tif 000008
【図８】
0005184253.tif 000009
【図９】
0005184253.tif 000010
【図１０】
0005184253.tif 000011